(57)【要約】【課題】日時単位に基づく区分により電子チラシを提示する電子チラシリスト画面において、電子チラシについての推薦結果が適切に反映されるようにする。【解決手段】電子チラシ配信サーバは、電子チラシの一覧を示す電子チラシリスト情報とともに、ユーザ端末装置に配信可能な電子チラシを対象として行われた推薦処理の結果を示す推薦情報をユーザ端末装置に送信し、ユーザ端末装置は、受信された電子チラシリスト情報により示される電子チラシを、電子チラシリスト情報により示される電子チラシごとの配信期間に基づいて所定の日時区分により分類し、受信された推薦情報に基づいて分類ごとに電子チラシの優先順位を決定し、決定された優先順位に従って電子チラシを提示する電子チラシリスト画面を表示部に表示させるように構成する。【選択図】図２
2017068489.tif 000002
【特許請求の範囲】
【請求項１】
電子チラシ配信サーバとユーザ端末装置とを備え、
前記電子チラシ配信サーバは、
前記ユーザ端末装置に配信可能な電子チラシの一覧を示す電子チラシリスト情報とともに、前記ユーザ端末装置に配信可能な電子チラシを対象として行われた推薦処理の結果を示す推薦情報を前記ユーザ端末装置に送信する電子チラシ関連情報送信部を備え、
前記ユーザ端末装置は、
受信された前記電子チラシリスト情報により示される電子チラシを、前記電子チラシリスト情報により示される電子チラシごとの配信期間に基づいて所定の日時区分により分類し、受信された前記推薦情報に基づいて分類ごとに電子チラシの優先順位を決定し、決定された優先順位に従って電子チラシを提示する電子チラシリスト画面を表示部に表示させる表示制御部を備える
電子チラシ配信システム。
【請求項２】
前記表示制御部は、
受信された前記電子チラシリスト情報により示される電子チラシを、配信期間に基づいて、日付単位の区分により分類する
請求項１に記載の電子チラシ配信システム。
【請求項３】
電子チラシ配信サーバと通信を行う通信部と、
ユーザ端末装置に配信可能な電子チラシの一覧を示す電子チラシリスト情報とともに、前記電子チラシを対象として行われた推薦処理の結果を示す推薦情報を受信したことに応じて、前記電子チラシを、前記電子チラシリスト情報より示される前記電子チラシごとの配信期間に基づいて所定の日時区分により分類し、受信された前記推薦情報に基づいて分類ごとに前記電子チラシの優先順位を決定し、決定された優先順位に従って前記電子チラシを提示する電子チラシリスト画面を表示部に表示させる表示制御部と
を備えるユーザ端末装置。
【請求項４】
電子チラシ配信サーバとユーザ端末装置とを備える電子チラシ配信システムにおける表示制御方法であって、
前記電子チラシ配信サーバは、
前記ユーザ端末装置に配信可能な電子チラシの一覧を示す電子チラシリスト情報とともに、前記ユーザ端末装置に配信可能な電子チラシを対象として行われた推薦処理の結果を示す推薦情報を前記ユーザ端末装置に送信する電子チラシ関連情報送信ステップを実行し、
前記ユーザ端末装置は、
受信された前記電子チラシリスト情報により示される電子チラシを、前記電子チラシリスト情報より示される電子チラシごとの配信期間に基づいて所定の日時区分により分類し、受信された前記推薦情報に基づいて分類ごとに電子チラシの優先順位を決定し、決定された優先順位に従って電子チラシを提示する電子チラシリスト画面を表示部に表示させる表示制御ステップを実行する
表示制御方法。
【請求項５】
ユーザ端末装置における表示制御方法であって、
電子チラシ配信サーバと通信を行う通信ステップと、
前記ユーザ端末装置に配信可能な電子チラシの一覧を示す電子チラシリスト情報とともに、前記電子チラシを対象として行われた推薦処理の結果を示す推薦情報を受信したことに応じて、前記電子チラシを、前記電子チラシリスト情報より示される前記電子チラシごとの配信期間に基づいて所定の日時区分により分類し、受信された前記推薦情報に基づいて分類ごとに前記電子チラシの優先順位を決定し、決定された優先順位に従って前記電子チラシを提示する電子チラシリスト画面を表示部に表示させる表示制御ステップと
を実行する表示制御方法。
【請求項６】
ユーザ端末装置としてのコンピュータに、
電子チラシ配信サーバと通信を行う通信ステップと、
前記ユーザ端末装置に配信可能な電子チラシの一覧を示す電子チラシリスト情報とともに、前記電子チラシを対象として行われた推薦処理の結果を示す推薦情報を受信したことに応じて、前記電子チラシを、前記電子チラシリスト情報より示される前記電子チラシごとの配信期間に基づいて所定の日時区分により分類し、受信された前記推薦情報に基づいて分類ごとに前記電子チラシの優先順位を決定し、決定された優先順位に従って前記電子チラシを提示する電子チラシリスト画面を表示部に表示させる表示制御ステップと
を実行させるためのプログラム。
【発明の詳細な説明】
【技術分野】
【０００１】
本発明は、電子チラシ配信システム、ユーザ端末装置、表示制御方法及びプログラムに関する。
【背景技術】
【０００２】
例えば、広告データに設定される属性情報に対応するカテゴリ情報（ユーザの年齢、性別、趣味、住所など）が設定されたユーザ識別情報に基づいて、通信端末に広告データを送信する広告配信サーバが知られている（例えば、特許文献１参照）。
また、端末装置が、表示された電子チラシに対する所定操作に応じて決定した注目領域を示す注目領域情報を電子チラシ配信サーバに送信する。そして、電子チラシ配信サーバが、注目領域情報に基づいてユーザに推薦すべき推薦電子チラシを決定するようにされた電子チラシ推薦システムが知られている（例えば、特許文献２参照）。
このようにユーザの属性やユーザの興味などに応じてユーザに適合する広告を決定する技術は広く知られている。
【先行技術文献】
【特許文献】
【０００３】
【特許文献１】特開２００３−９１６７３号公報
【特許文献２】特開２０１５−６９４８３号公報
【発明の概要】
【発明が解決しようとする課題】
【０００４】
ここで、上記の電子チラシは、新聞などに折り込み広告などとして配布されるチラシを電子化してネットワーク上で配信するようにされたものである。チラシとしての広告は、長期間にわたって同じ内容を広告するというよりは、例えば店舗における安売り（セール）やキャンペーンなどのように、１日から数日程度の期間における有用な情報を告知することに利用される場合が多い。このため、チラシの内容が有効とされるのは、長くとも数日程度の短期間に限定されることが一般的であり、この点に関しては、ネットワーク上で配信される電子チラシについても同様である。
上記のようなことからすると、電子チラシを閲覧するユーザにとっては、電子チラシの配信が開始された時期がいつであるのかということが、自分にとって有用な電子チラシを選別するにあたっての１つの目安となるといえる。
そこで、電子チラシ配信サーバにより配信可能な電子チラシの一覧を提示する電子チラシリスト画面として、例えば日付ごとに電子チラシを区分するといったように、所定の日時単位で電子チラシを区分して提示する態様とすることが考えられる。その一方で、電子チラシについての推薦結果としては、日時単位に基づく区分によらず、配信可能な全ての電子チラシを対象として行われる。このような場合においては、日時単位に基づく区分により電子チラシを提示する電子チラシリスト画面において、適切に電子チラシについての推薦結果が反映されるようにすることが求められる。
【０００５】
本発明は、このような事情に鑑みてなされたもので、日時単位に基づく区分により電子チラシを提示する電子チラシリスト画面において、電子チラシについての推薦結果が適切に反映されるようにすることを目的とする。
【課題を解決するための手段】
【０００６】
上述した課題を解決するための本発明の一態様は、電子チラシ配信サーバとユーザ端末装置とを備え、前記電子チラシ配信サーバは、前記ユーザ端末装置に配信可能な電子チラシの一覧を示す電子チラシリスト情報とともに、前記ユーザ端末装置に配信可能な電子チラシを対象として行われた推薦処理の結果を示す推薦情報を前記ユーザ端末装置に送信する電子チラシ関連情報送信部を備え、前記ユーザ端末装置は、受信された前記電子チラシリスト情報により示される電子チラシを、前記電子チラシリスト情報により示される電子チラシごとの配信期間に基づいて所定の日時区分により分類し、受信された前記推薦情報に基づいて分類ごとに電子チラシの優先順位を決定し、決定された優先順位に従って電子チラシを提示する電子チラシリスト画面を表示部に表示させる表示制御部を備える電子チラシ配信システムである。
【０００７】
本発明の一態様は、電子チラシ配信サーバと通信を行う通信部と、ユーザ端末装置に配信可能な電子チラシの一覧を示す電子チラシリスト情報とともに、前記電子チラシを対象として行われた推薦処理の結果を示す推薦情報を受信したことに応じて、前記電子チラシを、前記電子チラシリスト情報より示される前記電子チラシごとの配信期間に基づいて所定の日時区分により分類し、受信された前記推薦情報に基づいて分類ごとに前記電子チラシの優先順位を決定し、決定された優先順位に従って前記電子チラシを提示する電子チラシリスト画面を表示部に表示させる表示制御部とを備えるユーザ端末装置である。
【０００８】
本発明の一態様は、電子チラシ配信サーバとユーザ端末装置とを備える電子チラシ配信システムにおける表示制御方法であって、前記電子チラシ配信サーバは、前記ユーザ端末装置に配信可能な電子チラシの一覧を示す電子チラシリスト情報とともに、前記ユーザ端末装置に配信可能な電子チラシを対象として行われた推薦処理の結果を示す推薦情報を前記ユーザ端末装置に送信する電子チラシ関連情報送信ステップを実行し、前記ユーザ端末装置は、受信された前記電子チラシリスト情報により示される電子チラシを、前記電子チラシリスト情報より示される電子チラシごとの配信期間に基づいて所定の日時区分により分類し、受信された前記推薦情報に基づいて分類ごとに電子チラシの優先順位を決定し、決定された優先順位に従って電子チラシを提示する電子チラシリスト画面を表示部に表示させる表示制御ステップを実行する表示制御方法である。
【０００９】
本発明の一態様は、ユーザ端末装置における表示制御方法であって、電子チラシ配信サーバと通信を行う通信ステップと、前記ユーザ端末装置に配信可能な電子チラシの一覧を示す電子チラシリスト情報とともに、前記電子チラシを対象として行われた推薦処理の結果を示す推薦情報を受信したことに応じて、前記電子チラシを、前記電子チラシリスト情報より示される前記電子チラシごとの配信期間に基づいて所定の日時区分により分類し、受信された前記推薦情報に基づいて分類ごとに前記電子チラシの優先順位を決定し、決定された優先順位に従って前記電子チラシを提示する電子チラシリスト画面を表示部に表示させる表示制御ステップとを実行する表示制御方法である。
【００１０】
本発明の一態様は、ユーザ端末装置としてのコンピュータに、電子チラシ配信サーバと通信を行う通信ステップと、前記ユーザ端末装置に配信可能な電子チラシの一覧を示す電子チラシリスト情報とともに、前記電子チラシを対象として行われた推薦処理の結果を示す推薦情報を受信したことに応じて、前記電子チラシを、前記電子チラシリスト情報より示される前記電子チラシごとの配信期間に基づいて所定の日時区分により分類し、受信された前記推薦情報に基づいて分類ごとに前記電子チラシの優先順位を決定し、決定された優先順位に従って前記電子チラシを提示する電子チラシリスト画面を表示部に表示させる表示制御ステップとを実行させるためのプログラムである。
【発明の効果】
【００１１】
以上説明したように、本発明によれば、日時単位に基づく区分により電子チラシを提示する電子チラシリスト画面において、電子チラシについての推薦結果が適切に反映されるようになるという効果が得られる。
【図面の簡単な説明】
【００１２】
【図１】本実施形態における電子チラシ配信システムの構成例を示す図である。
【図２】本実施形態における電子チラシリスト画像の一例を示す図である。
【図３】本実施形態における電子チラシリスト画面の表示態様例を示す図である。
【図４】本実施形態における電子チラシ配信サーバの構成例を示す図である。
【図５】本実施形態における利用履歴情報の内容例を示す図である。
【図６】本実施形態における電子チラシリスト情報の内容例を示す図である。
【図７】本実施形態における推薦情報の内容例を示す図である。
【図８】本実施形態におけるユーザ端末装置の構成例を示す図である。
【図９】本実施形態におけるユーザ端末装置と電子チラシ配信サーバとが電子チラシリスト画面の表示に関連して実行する処理手順例を示すフローチャートである。
【発明を実施するための形態】
【００１３】
［電子チラシ配信システムの構成例］
以下、本発明の実施形態について図面を参照して説明する。
図１は、本実施形態における電子チラシ配信システムの構成例を示している。同図に示す電子チラシ配信システムにおいては、電子チラシ配信サーバ１００と１以上のユーザ端末装置２００とが通信可能に接続される。また、電子チラシ配信サーバ１００と推薦処理サーバ３００とが通信可能に接続されればよい。
電子チラシ配信サーバ１００とユーザ端末装置２００とはネットワークを介して通信可能に接続されればよい。また、電子チラシ配信サーバ１００と推薦処理サーバ３００とについては、ネットワークを介して接続されてもよいし、専用の通信線を介して接続されてもよい。
【００１４】
電子チラシ配信サーバ１００は、広告主から提供される広告としての電子チラシをユーザ端末装置２００に配信する。電子チラシは、例えば新聞の折り込み広告などとして配布されるチラシを電子化したものである。
【００１５】
ユーザ端末装置２００は、上記のように電子チラシ配信サーバ１００から送信された電子チラシを受信し、受信された電子チラシを表示する。
ユーザ端末装置２００には、電子チラシ配信サーバ１００から配信された広告を閲覧するための電子チラシ閲覧アプリケーションがインストールされている。ユーザは、電子チラシ閲覧アプリケーションが起動されたユーザ端末装置２００を操作することにより、電子チラシ配信サーバ１００から配信された電子チラシを電子チラシ閲覧アプリケーション上で表示させ、表示された電子チラシを閲覧することができる。
ユーザ端末装置２００は、例えばスマートフォン、タブレット端末、携帯電話などのように、ネットワーク通信機能を有する携帯型の端末装置である。
【００１６】
ユーザ端末装置２００の電子チラシ閲覧アプリケーションは、電子チラシのリスト（一覧）を示す電子チラシリストのデータを電子チラシ配信サーバ１００から受信することで、電子チラシリスト画面を表示することができる。電子チラシリスト画面においては、電子チラシ閲覧アプリケーションのユーザに応じて電子チラシ配信サーバ１００が配信可能な電子チラシの一覧が示される。
ユーザは、ユーザ端末装置２００にて表示される電子チラシリスト画面のうちから閲覧したい電子チラシを指定する操作を行うことができる。電子チラシリスト画面に対して電子チラシを指定する操作が行われると、電子チラシ閲覧アプリケーションの処理によって、指定された電子チラシを要求する電子チラシ要求がユーザ端末装置２００から電子チラシ配信サーバ１００に送信される。電子チラシ配信サーバ１００は、受信された電子チラシ要求によって指定された電子チラシをユーザ端末装置２００に送信する。
このようにして、電子チラシ配信サーバ１００は、ユーザ端末装置２００に電子チラシを配信する。ユーザ端末装置２００は、電子チラシ閲覧アプリケーションの処理により、配信された電子チラシを表示部に表示させる。
なお、以降の説明において、ユーザ端末装置２００の処理は、電子チラシ閲覧アプリケーションが動作することによって実現されるものであり、ユーザとは、ユーザ端末装置２００にて動作する電子チラシ閲覧アプリケーションに対応するユーザである。
【００１７】
推薦処理サーバ３００は、電子チラシ配信サーバ１００が配信する電子チラシを対象としてユーザに推薦する電子チラシを決定する推薦処理を実行し、推薦処理の結果を示す推薦情報を出力する。本実施形態において、推薦処理サーバ３００は、電子チラシ配信システムのもとで以下のように推薦情報の出力を行う。
【００１８】
電子チラシ配信サーバ１００は、電子チラシリスト要求をユーザ端末装置２００から受信したことに応じて、電子チラシリスト要求の送信元のユーザにより設定された配信指定地域に対応して配信可能な電子チラシを示す電子チラシリスト情報を作成する。
本実施形態において電子チラシ配信サーバ１００が配信する電子チラシにはそれぞれ、配信対象とする地域である配信対象地域が設定されている。配信対象地域は、例えば郵便番号、市区町村などに基づいて区分される。そして、ユーザが設定する配信指定地域は、電子チラシに設定された配信対象地域のうち、ユーザが電子チラシの配信を受けるにあたって指定した１つの配信対象地域である。
【００１９】
そのうえで、電子チラシ配信サーバ１００は、作成した電子チラシリストに含まれる電子チラシについての推薦情報を要求する推薦情報要求を推薦処理サーバ３００に送信する。
推薦情報要求には、電子チラシリスト情報が含まれる。電子チラシリスト情報は、電子チラシごとについての属性（店舗名、配信対象地域など）の情報が含まれる。
また、推薦情報要求には、電子チラシリスト要求の送信元のユーザ端末装置２００のユーザに対応するユーザ情報が含まれる。ユーザ情報は、電子チラシ配信サーバ１００が記憶している情報である。推薦情報要求に含められるユーザ情報には、ユーザの年齢、性別、配信指定地域及び利用履歴情報などが含まれる。利用履歴情報は、これまでにおいてユーザが電子チラシ閲覧アプリケーションを利用した履歴を示す情報である。
【００２０】
推薦処理サーバ３００は、推薦情報要求の受信に応じて、電子チラシリスト情報によって示される電子チラシを対象としてユーザ情報に対応するユーザに適合して推薦すべき電子チラシを決定する推薦処理を行う。この際、推薦処理サーバ３００は、受信された推薦情報要求に含まれる電子チラシ属性情報とユーザ情報とを利用して推薦処理を行う。
ここで、本実施形態における推薦処理サーバ３００は、推薦処理結果として、電子チラシリスト情報において示される電子チラシに、推薦の強さの度合いに応じた推薦順位を付与する。そして、推薦処理サーバ３００は、上記の推薦処理結果を示す推薦情報を電子チラシ配信サーバ１００に送信する。
【００２１】
電子チラシ配信サーバ１００は、推薦処理サーバ３００から推薦情報を受信すると、推薦情報要求の送信に先立って作成した電子チラシリストのデータ（電子チラシリスト情報）と、受信された推薦情報とを、電子チラシリスト要求の送信元のユーザ端末装置２００に送信する。
【００２２】
電子チラシリスト情報と推薦情報とを受信したユーザ端末装置２００は、電子チラシ閲覧アプリケーションのもとで、受信された電子チラシリスト情報を利用して電子チラシリスト画面を表示する。表示された電子チラシリスト画面においては、受信された電子チラシリスト情報により示される電子チラシの一覧が提示される。また、表示された電子チラシリスト画面においては、電子チラシリスト情報とともに受信された推薦情報が示す推薦順位が反映される。
【００２３】
［電子チラシリスト画面の態様例］
図２及び図３を参照して、本実施形態のユーザ端末装置２００において表示される電子チラシリスト画面の表示態様例について説明する。
図２は、電子チラシリスト画面の表示にあたって、ユーザ端末装置２００が生成する電子チラシリスト画像の一例を示している。同図に示される電子チラシリスト画像の最上段においては、ヘッダ領域Ａ１１−１が配置される。ヘッダ領域Ａ１１−１における「今日のチラシ」との表示は、以下に続く電子チラシ提示領域において提示される電子チラシが「今日のチラシ」であることを示す。
ここで、「今日のチラシ」とは、設定された配信期間の開始日が当日の電子チラシ、即ち当日に配信が開始された電子チラシである。なお、同図においては、当日が２０１５年の９月３０日である場合を例に挙げている。
そして、ヘッダ領域Ａ１１−１の下段においては、続けて、ｎ個の電子チラシ提示領域Ａ１２−１−１〜Ａ１２−１−ｎが上から下にかけて順に配置される。電子チラシ提示領域Ａ１２−１−１〜Ａ１２−１−ｎにより示されるｎ個の電子チラシが「今日のチラシ」である。
【００２４】
電子チラシ提示領域Ａ１２−１−１〜Ａ１２−１−ｎのそれぞれにおいては、対応の電子チラシをサムネイル画像化した電子チラシサムネイル画像が配置されている。また、電子チラシサムネイル画像の左上の位置には、「今日のチラシ」であることをユーザに分かりやすく見せるために、「今日」との文字が含まれるバッジが配置されている。
また、電子チラシ提示領域Ａ１２−１−１〜Ａ１２−１−ｎのそれぞれにおいては、店舗名やメッセージなどを表す文字が配置されている。
【００２５】
そのうえで、「今日のチラシ」における電子チラシ提示領域Ａ１２−１−１〜Ａ１２−１−ｎの上から下にかけての配列順は、対応の電子チラシについて推薦情報が示す推薦順位に基づく優先順位に従っている。つまり、電子チラシ提示領域Ａ１２−１−１には、「今日のチラシ」に該当する電子チラシのうちで、推薦順位が最も高い電子チラシが提示され、電子チラシ提示領域Ａ１２−１−２には、推薦順位が２番目の電子チラシが提示されている。以下、続けて、電子チラシ提示領域Ａ１２−１−３〜電子チラシ提示領域Ａ１２−１−ｎには、それぞれ、「今日のチラシ」に該当する電子チラシのうちで推薦順位が３番目〜ｎ番目の電子チラシが提示されている。
【００２６】
次に、「今日のチラシ」として最下段に配置された電子チラシ提示領域Ａ１２−１−ｎの下段には、「２０１５／０９／２９のチラシ」との文字が含まれたヘッダ領域Ａ１１−２が配置される。ヘッダ領域Ａ１１−２における「２０１５／０９／２９のチラシ」との文字の表示は、以下に続く電子チラシ提示領域において提示される電子チラシが、２０１５年９月２９日、即ち昨日に配信が開始されたものであることを示す。
そして、ヘッダ領域Ａ１１−２の下段においては、続けて、ｍ個の電子チラシ提示領域Ａ１２−２−１〜Ａ１２−２−ｍが上から下にかけて順に配置される。電子チラシ提示領域Ａ１２−２−１〜Ａ１２−２−ｍにより示されるｍ個の電子チラシが「２０１５／０９／２９のチラシ」である。
【００２７】
電子チラシ提示領域Ａ１２−２−１〜Ａ１２−２−ｍも、先の電子チラシ提示領域Ａ１２−１−１〜Ａ１２−１−ｎと同様の態様によって、対応の電子チラシを提示する表示が行われる。ただし、電子チラシ提示領域Ａ１２−２−１〜Ａ１２−２−ｍにより提示される電子チラシは、昨日のものであることから、「今日」との文字が含まれるバッジは配置されない。
そして、「２０１５／０９／２９のチラシ」における電子チラシ提示領域Ａ１２−２−１〜Ａ１２−２−ｍの上から下にかけての配列順も、対応の電子チラシについて推薦情報が示す推薦順位に基づく優先順位に従っている。
【００２８】
次に、「２０１５／０９／２９のチラシ」として最下段に配置された電子チラシ提示領域Ａ１２−２−ｍの下段には、「２０１５／０９／２８のチラシ」との文字が含まれたヘッダ領域Ａ１１−３が配置される。ヘッダ領域Ａ１１−３における「２０１５／０９／２８のチラシ」との表示は、以下に続く電子チラシ提示領域において提示される電子チラシが、２０１５年９月２８日、即ち一昨日に配信が開始されたものであることを示す。
そして、ヘッダ領域Ａ１１−３の下段においては、続けて、ｉ個の電子チラシ提示領域Ａ１２−３−１〜Ａ１２−３−ｉが上から下にかけて順に配置され、それぞれにおいて、一昨日に配信が開始された電子チラシが提示される。
【００２９】
上記の「２０１５／０９／２８のチラシ」に対応する電子チラシ提示領域Ａ１２−３−１〜Ａ１２−３−ｉは、「２０１５／０９／２９のチラシ」に対応する電子チラシ提示領域Ａ１２−２−１〜Ａ１２−２−ｍと同様の態様によって表示される。そして、電子チラシ提示領域Ａ１２−３−１〜Ａ１２−３−ｉの上から下にかけての配列順も、推薦情報によって対応の電子チラシに付与された推薦順位に従っている。
なお、以降の説明にあたり、ヘッダ領域Ａ１１−１〜Ａ１１−３及びこれより下段の図示されていないヘッダ領域について特に区別しない場合には、ヘッダ領域Ａ１１と記載する。また、電子チラシ提示領域Ａ１２−１−１〜Ａ１２−３−ｉ及びこれより下段の図示されていない電子チラシ提示領域について特に区別しない場合には、電子チラシ提示領域Ａ１２と記載する。
【００３０】
以下、電子チラシリスト情報に「２０１５年９月２８日よりも前の日を配信開始日とする電子チラシが含まれている場合には、同様にして、日付を遡っていくようにして、日付ごとに対応してヘッダ領域Ａ１１と電子チラシ提示領域Ａ１２とが配置されていく。
【００３１】
そして、ユーザ端末装置は、図２のように生成された電子チラシリスト画像を利用して、図３に示すように、ユーザ端末装置の表示部２０４に電子チラシリスト画面を表示する。図３においては、表示部２０４にて電子チラシ閲覧アプリケーションのアプリケーション画面が表示された状態が示されている。同図の電子チラシリスト画面は、アプリケーション画面内の画面領域ＡＲ１に配置されるように表示されている。
ここで、図２のように生成された電子チラシリスト画像は、上下方向において、画面領域ＡＲ１の縦方向のサイズよりも長いサイズを有する。このために、電子チラシリスト画面としては、同図に示されるように、画面領域ＡＲ１のサイズに対応させて電子チラシリスト画像の一部が表示される。同図においては、画面領域ＡＲ１においては、電子チラシリスト画面として、上から下にかけて「今日のチラシ」を示すヘッダ領域Ａ１１−１と、これに続けて電子チラシ提示領域Ａ１２−１−１〜Ａ１２−１−３と、電子チラシ提示領域Ａ１２−１−４の上側の半分程度が表示された状態が示されている。
【００３２】
同図の表示状態のもとで、画面領域ＡＲ１の表示範囲よりも下側の電子チラシリスト画像を表示させる場合には、ユーザは、画面領域ＡＲ１に対して電子チラシリスト画像を上方向にスクロールさせるための操作を行えばよい。電子チラシリスト画像を上方向にスクロールさせる操作としては、例えば上方向へのスワイプ操作あるいはフリック操作などである。
また、この後において、画面領域ＡＲ１の表示範囲外よりも上側の電子チラシリスト画像を画面領域ＡＲ１に表示させたければ、ユーザは、電子チラシリスト画像を下方向にスクロールさせるための操作（例えば下方向へのスワイプ操作あるいはフリック操作など）を行えばよい。
【００３３】
これまでの説明から理解されるように、本実施形態における電子チラシリスト画面では、まず、ユーザ端末装置２００のユーザに対応して配信可能な電子チラシが配信開始日により区分され、上から下にかけて、配信開始日ごとに新しい順から古い順に区分が行われる。そして、電子チラシリスト画面の区分ごとにおいて、それぞれ、同じ配信開始日の電子チラシの電子チラシ提示領域Ａ１２が配置される。
前述のように、電子チラシは、一般の紙媒体のチラシと同様に１日から数日程度の期間における有用な情報を告知することに利用される場合が多い。このため、電子チラシの内容が有効とされるのは、長くとも数日程度の短期間に限定されることが一般的である。このために、ユーザとしては、電子チラシの配信が開始された日がいつであるのかということを把握しておくと、有用な電子チラシを見つけやすいということになる。
そこで、本実施形態の電子チラシリスト画面のように、配信開始日の日付ごとに電子チラシを区分して提示すれば、ユーザは、配信開始日に応じて電子チラシを振り分けるようにして一覧することができ、有用な電子チラシを見つけやすくなる。
【００３４】
そのうえで、本実施形態においては、電子チラシリスト画面における配信開始日の日付単位の区分ごとにおいて、推薦情報が示す推薦順位に従って電子チラシ提示領域の配列順が上から下となるように配置している。即ち、本実施形態の電子チラシリスト画面においては、配信開始日の日付の区分ごとにおける電子チラシ提示領域Ａ１２の配列順について、電子チラシの推薦順位が反映されている。
このような電子チラシ提示領域Ａ１２の配列順とすることで、例えばユーザが或る配信開始日に対応する電子チラシ提示領域Ａ１２を閲覧した際には、配信開始日の区分ごとにおいてユーザに対する推薦度が高い順で上から下にかけて電子チラシ提示領域Ａ１２が配列されていることになる。
このようにして本実施形態においては、日付ごとに区分して電子チラシを提示する電子チラシリスト画面において、電子チラシについての推薦結果が適切に反映されている。これにより、電子チラシリスト画面における日付ごとの区分において提示される電子チラシの順序がランダムであるような場合と比較して、有用な電子チラシがさらに見つかりやすくなる。
【００３５】
［電子チラシ配信サーバの構成例］
次に、図４を参照して、電子チラシ配信サーバ１００の構成例について説明する。同図に示す電子チラシ配信サーバ１００は、通信部１０１、制御部１０２及び記憶部１０３を備える。
通信部１０１は、ネットワーク経由でユーザ端末装置２００と通信を行う。
【００３６】
制御部１０２は、電子チラシの配信に関する制御を実行する。制御部１０２としての機能は、電子チラシ配信サーバ１００が備えるＣＰＵ（Central Processing Unit）がプログラムを実行することにより実現される。
制御部１０２は、本実施形態の電子チラシリスト画面の表示に関連して電子チラシ関連情報送信部１２１を備える。
電子チラシ関連情報送信部１２１は、ユーザ端末装置２００に配信可能な電子チラシの（リスト）一覧を示す電子チラシリスト情報とともに、ユーザ端末装置２００に配信可能な電子チラシを対象として行われた推薦処理の結果を示す推薦情報をユーザ端末装置２００に送信する。
ここで、ユーザ端末装置２００に配信可能な電子チラシとは、具体的には、例えば電子チラシ配信サーバ１００が配信可能な電子チラシのうちで、その配信対象地域がユーザ端末装置２００のユーザが設定した配信指定地域に該当する電子チラシである。
【００３７】
記憶部１０３は、制御部１０２が利用する各種の情報を記憶する。同図に示すように、本実施形態の記憶部１０３は、電子チラシデータ記憶部１３１及び利用履歴情報記憶部１３２を備える。
電子チラシデータ記憶部１３１は、電子チラシ配信サーバ１００が配信可能な電子チラシのデータを記憶する。
利用履歴情報記憶部１３２は、利用履歴情報を記憶する。
【００３８】
図５は、利用履歴情報記憶部１３２が記憶する利用履歴情報の内容例を示している。同図に示すように、利用履歴情報記憶部１３２は、ユーザＩＤごとに利用履歴情報が対応付けられた構造である。本実施形態において、ユーザＩＤとしては、ユーザ端末装置２００にインストールされた電子チラシ閲覧アプリケーションに対応して設定された識別子を利用することができる。このような識別子は、例えば電子チラシ閲覧アプリケーションが初回起動に際して取得するようにされる。
また、利用履歴情報は、電子チラシ閲覧履歴情報と登録状況情報とを含む。電子チラシ閲覧履歴情報は、対応のユーザＩＤが示す電子チラシ閲覧アプリケーションにより閲覧された電子チラシの履歴を示す。つまり、電子チラシ閲覧履歴情報は、対応のユーザＩＤが示す電子チラシ閲覧アプリケーションからの要求に応答して送信した電子チラシについての履歴を示す。
登録状況情報は、対応のユーザＩＤが示す電子チラシ閲覧アプリケーションを利用するユーザがこれまでに行っている各種登録に関する状況を示す。例えば、ユーザが配信指定地域を設定済みである場合には、登録状況情報には、設定された配信指定地域を示す情報が格納されている。ユーザがポイント会員としての登録を行っている場合には、登録状況情報には、ポイント会員に付与される会員ＩＤ、ポイント残高などの情報が格納されている。
また、ユーザがお気に入り店舗を登録している場合には、登録状況情報には、登録されたお気に入り店舗を示す情報が格納されている。ここでの「お気に入り店舗」とは、例えば配信指定地域における広告主の店舗のうち、ユーザが電子チラシの閲覧に関して重視する店舗である。お気に入り店舗が登録されている場合、ユーザ端末装置２００は、図３に例示した電子チラシリスト画面の他に、お気に入り店舗として登録された店舗の電子チラシのみが提示される電子チラシリスト画面も表示することができる。
【００３９】
また、図６を参照して、電子チラシ関連情報送信部１２１が送信する電子チラシリスト情報の内容例について説明する。
同図の電子チラシリスト情報における１つのレコード（１行）が１つの電子チラシに対応する電子チラシ情報である。１つの電子チラシ情報は、電子チラシＩＤ、電子チラシサムネイル画像、店舗情報、メッセージ情報及び配信期間情報を含む。
電子チラシＩＤは、対応の電子チラシを一意に示す識別子である。
電子チラシサムネイル画像は対応の電子チラシをサムネイル画像化した画像データである。
店舗情報は、対応の電子チラシの広告元の店舗に関する情報を示す。同図の店舗情報としては、店舗に関する情報として店舗名が示されている。
メッセージ情報は、対応の電子チラシに関連して広告主が付加したメッセージ内容を示す。
図２及び図３に示した電子チラシ提示領域Ａ１２において配置される電子チラシサムネイル画像、店舗名及びメッセージの表示には、それぞれ、電子チラシ情報における電子チラシサムネイル画像、店舗情報及びメッセージ情報が利用される。
配信期間情報は、対応の電子チラシに設定された配信期間を示す。具体的に、同図においては、配信開始日時と配信終了日時とにより配信期間が示されている。
【００４０】
また、図７を参照して、推薦情報の内容例について説明する。前述のように、推薦情報は、推薦処理サーバ３００が電子チラシリスト情報により示される電子チラシを対象として推薦処理を行った結果として得られる情報である。
同図に示されるように、推薦情報は、推薦順位ごとに、電子チラシリスト情報により示される電子チラシの電子チラシＩＤを対応付けた構造である。
【００４１】
［端末装置の構成例］
次に、図８を参照して、本実施形態におけるユーザ端末装置２００の構成例について説明する。同図に示すユーザ端末装置２００は、通信部２０１、制御部２０２、記憶部２０３、表示部２０４及び操作部２０５を備える。
通信部２０１は、ネットワーク経由で電子チラシ配信サーバ１００と通信を行う。
【００４２】
制御部２０２は、電子チラシ閲覧アプリケーションの動作に関する制御を実行する。制御部２０２としての機能は、ユーザ端末装置２００が備えるＣＰＵが、電子チラシ閲覧アプリケーションのプログラムを実行することにより実現される。
制御部２０２は、電子チラシ閲覧アプリケーションのプログラムの実行により実現される機能として表示制御部２２１を備える。
【００４３】
表示制御部２２１は、受信された電子チラシリスト情報により示される電子チラシを、電子チラシリスト情報により示される電子チラシごとの配信期間に基づいて所定の日時区分により分類する。表示制御部２２１は、受信された推薦情報に基づいて分類ごとに電子チラシの優先順位を決定し、決定された優先順位に従って電子チラシを提示する電子チラシリスト画面を表示部２０４に表示させる。
【００４４】
記憶部２０３は、制御部２０２が利用する各種の情報を記憶する。例えば、記憶部２０３は、制御部２０２に対応するハードウェアとしてのＣＰＵが実行するプログラムを記憶する。このようなプログラムのなかに、電子チラシ閲覧アプリケーションのプログラムが含まれる。
【００４５】
表示部２０４は、表示制御部２２１の制御に応じて画像を表示する。
操作部２０５は、ユーザ端末装置２００が備える操作子や操作デバイスなどを一括して示す。制御部２０２は、操作部２０５に対して行われた操作に応じた制御を実行する。なお、表示部２０４がタッチパネルとして構成される場合には、タッチパネルを構成するタッチパッドなどの入力デバイスも操作部２０５に含まれる。
【００４６】
［処理手順例］
図９のフローチャートを参照して、本実施形態のユーザ端末装置２００と電子チラシ配信サーバ１００とが電子チラシリスト画面の表示に関連して実行する処理手順例について説明する。
まず、ユーザ端末装置２００が実行する処理手順例について説明する。
ユーザ端末装置２００の表示制御部２２１は、電子チラシリスト画面表示イベントの発生を待機している（ステップＳ１０１−ＮＯ）。電子チラシリスト画面表示イベントは例えば以下の場合に発生される。つまり、本実施形態においては、電子チラシ閲覧アプリケーションが起動された際の初期操作画面として電子チラシリスト画面が表示される仕様となっている。このため、電子チラシ閲覧アプリケーションが起動され、例えば所定の起動画面などの表示が完了して初期操作画面を表示すべき段階となった際に、電子チラシリスト画面表示イベントが発生する。
また、電子チラシリスト画面から他の画面に遷移していた状態において、電子チラシリスト画面への表示に戻す操作が行われた場合にも、電子チラシリスト画面表示イベントが発生する。
【００４７】
電子チラシリスト画面表示イベントが発生すると（ステップＳ１０１−ＹＥＳ）、表示制御部２２１は、電子チラシリスト要求を電子チラシ配信サーバ１００に送信する（ステップＳ１０２）。電子チラシリスト要求には、ユーザ端末装置２００にインストールされた電子チラシ閲覧アプリケーションに対応して設定されたユーザＩＤが含められる。
【００４８】
ステップＳ１０２による電子チラシリスト要求の送信に応答して、電子チラシ配信サーバ１００は、電子チラシリスト情報と推薦情報とを送信する。送信された電子チラシリスト情報と推薦情報は、ユーザ端末装置２００の通信部２０１にて受信される。そこで、表示制御部２２１は、受信された電子チラシリスト情報と推薦情報とを取得する（ステップＳ１０３）。ステップＳ１０３により取得される電子チラシリスト情報は、図７に示した構造を有し、推薦情報は図８に示した構造を有する。なお、ステップＳ１０３により取得される電子チラシリスト情報において示される電子チラシと、推薦情報において示される電子チラシとは、いずれもユーザの配信指定地域に対応して配信可能な電子チラシであって、両者は互いに同じである。
【００４９】
次に、表示制御部２２１は、ステップＳ１０３により取得された電子チラシリスト情報により示される電子チラシを配信開始日ごとに分類する（ステップＳ１０４）。
具体的に、表示制御部２２１は、ステップＳ１０４の処理として、電子チラシリスト情報に含まれる電子チラシごとに対応の電子チラシ情報について、配信期間情報が示す配信期間において示される配信開始の日付（配信開始日）ごとにグループ分けを行う。
【００５０】
次に、表示制御部２２１は、ステップＳ１０３により取得された推薦情報が示す電子チラシごとの推薦順位に従って、ステップＳ１０４により分類した電子チラシのグループごとに、電子チラシの優先順位を決定する（ステップＳ１０５）。
【００５１】
次に、表示制御部２２１は、ステップＳ１０４による電子チラシの分類結果と、ステップＳ１０５による優先順位の決定結果を利用して、図２に示したように電子チラシリスト画像を生成する（ステップＳ１０６）。
このために、表示制御部２２１は、例えばステップＳ１０３により取得した電子チラシリスト情報に含まれる電子チラシ情報を利用して、ヘッダ領域Ａ１１と電子チラシ提示領域Ａ１２とを描画する。表示制御部２２１は、描画したヘッダ領域Ａ１１と電子チラシ提示領域Ａ１２とを、ステップＳ１０４による電子チラシの分類結果に従って配信開始日ごとに区分する。表示制御部２２１は、配信開始日ごとの区分において、先頭にヘッダ領域Ａ１１を配置し、続けて、ステップＳ１０５により決定された優先順位に従って電子チラシ提示領域Ａ１２を配置していく。表示制御部２２１は、このようにして得られた配信開始日の区分ごとの電子チラシリストの画像を、配信開始日が若い順に、上から下にかけて連結していくように配置する。
このような描画制御によって、ステップＳ１０６にて図２に示した態様の電子チラシリスト画像が生成される。
【００５２】
そして、表示制御部２２１は、ステップＳ１０６により生成された電子チラシリスト画像を利用して、図３にて説明したように、表示部２０４にて表示される電子チラシ閲覧アプリケーションのアプリケーション画面上に電子チラシリスト画面を表示させる（ステップＳ１０７）。
【００５３】
続いて、電子チラシ配信サーバ１００が実行する処理手順例について説明する。
電子チラシ配信サーバ１００において、電子チラシ関連情報送信部１２１は、ステップＳ１０２によりユーザ端末装置２００から電子チラシリスト要求が送信されたことに応じて、電子チラシリスト要求を受信する（ステップＳ２０１）。
【００５４】
次に、電子チラシ関連情報送信部１２１は、ステップＳ２０１にて受信された電子チラシリスト要求の送信元のユーザ端末装置２００のユーザに対応して配信が可能な電子チラシを選択する（ステップＳ２０２）。
このために、電子チラシ関連情報送信部１２１は、利用履歴情報記憶部１３２の利用履歴情報から、受信された電子チラシリスト要求に含まれるのと同じユーザＩＤに対応付けられた登録状況情報を参照する。参照した登録状況情報には、対応のユーザによって設定された配信指定地域が含まれている。電子チラシ関連情報送信部１２１は、電子チラシデータ記憶部１３１に記憶される電子チラシのうちから、登録状況情報に含まれていた配信指定地域に該当する配信対象地域が設定された電子チラシを選択する。このようにして、ステップＳ２０２による電子チラシの選択が行われる。
【００５５】
次に、電子チラシ関連情報送信部１２１は、ステップＳ２０２により選択された電子チラシを示す電子チラシリスト情報を生成する（ステップＳ２０３）。電子チラシ関連情報送信部１２１は、電子チラシリスト情報の生成にあたり、電子チラシ情報ごとにおける電子チラシサムネイル画像、店舗情報、メッセージ情報及び配信期間情報を電子チラシデータ記憶部１３１から取得する。
【００５６】
次に、電子チラシ関連情報送信部１２１は、ステップＳ２０２により選択された電子チラシについての推薦情報を要求する推薦情報要求を、推薦処理サーバ３００に送信する（ステップＳ２０４）。
ステップＳ２０４により送信される推薦情報要求には、ステップＳ２０３により生成された電子チラシリスト情報と、今回の電子チラシリスト要求の送信元のユーザについてのユーザ情報とを含む。ユーザ情報は、ステップＳ２０１により受信された電子チラシリスト要求に含まれていたのと同じユーザＩＤに対応付けられて利用履歴情報記憶部１３２に記憶されている利用履歴情報の内容を含む。
【００５７】
推薦処理サーバ３００は、ステップＳ２０４により送信された推薦情報要求に応答して推薦処理を実行し、推薦処理結果を示す推薦情報を送信してくる。前述のように、本実施形態の推薦情報によっては、電子チラシごとの推薦順位が示される。電子チラシ関連情報送信部１２１は、推薦処理サーバ３００から送信された推薦情報を受信する（ステップＳ２０５）。
そして、電子チラシ関連情報送信部１２１は、ステップＳ２０２により選択した電子チラシを示す電子チラシリスト情報とステップＳ２０５により受信した推薦情報とを、電子チラシリスト要求の送信元のユーザ端末装置２００に送信する（ステップＳ２０６）。
このような処理によって、本実施形態における電子チラシリスト画面の表示が実現される。
【００５８】
なお、上記実施形態においては、電子チラシリスト画面において、配信可能な電子チラシが日付単位で区分されていた。しかしながら、本実施形態においては、このような日時区分に限定されるものではない。
例えば、電子チラシの配信期間として示される日付と時刻とに基づいて、電子チラシを日付単位においてさらに所定の複数の時間帯ごとに区分した電子チラシリスト画面とすることもできる。このような時間帯の区分の一例として、夕方から特売セールなどが行われる機会が多くなることなどを考慮して、今日の午後４時（１６：００）より前の時間帯と午後４時以降の時間帯、昨日の午後４時より前の時間帯と午後４時以降の時間帯、・・・・というような区分を考えることができる。
あるいは、上記の例とは逆に、電子チラシリスト画面について、連続する日による単位で区分することも考えられる。具体的には、例えば今週、先週、先々週・・・といったとうに１週間の単位で区分したり、さらに１週間を、平日（月曜日から金曜日まで）と週末（土曜日と日曜日）とにより区分したりすることもできる。
【００５９】
なお、本実施形態における推薦処理サーバ３００における推薦処理のアルゴリズム（エンジン）については特に限定されるものではない。また、それぞれが異なるアルゴリズムによる推薦処理を行うようにされた複数の推薦処理サーバ３００を設けてもよい。この場合、電子チラシ配信サーバ１００は、電子チラシリスト要求の受信ごとに、複数の推薦処理サーバ３００のうちから、今回において推薦処理を実行させる推薦処理サーバ３００を所定の選択条件に従って選択するようにされればよい。
【００６０】
なお、電子チラシについての推薦処理を、電子チラシ配信サーバ１００が実行可能なように構成してもよい。この場合、推薦処理サーバ３００は省略されてよい。
【００６１】
なお、推薦処理サーバ３００が出力する推薦情報は、推薦順位を示すものではなく、推薦すべき電子チラシが何であるのかを示す情報であってもよい。この場合、電子チラシリスト画面の表示の際には、電子チラシ配信サーバ１００またはユーザ端末装置２００が推薦情報と所定の優先順位決定用のパラメータとを利用して電子チラシごとの優先順位を決定する。そして、電子チラシ配信サーバ１００またはユーザ端末装置２００は、決定された優先順位に従って電子チラシ提示領域Ａ１２に電子チラシを提示した電子チラシリスト画像を生成すればよい。
なお、推薦処理サーバ３００が出力する推薦情報は、推薦の度合いの強さに応じた点数（ポイント）を電子チラシごとに対応付けた内容の情報であってもよい。この場合、電子チラシリスト画面の表示の際には、電子チラシ配信サーバ１００またはユーザ端末装置２００は、推薦情報により示されるポイントの高い順に従って電子チラシ提示領域Ａ１２に電子チラシを提示した電子チラシリスト画像を生成すればよい。
【００６２】
なお、上述の電子チラシ配信サーバ１００やユーザ端末装置２００の機能を実現するためのプログラムをコンピュータ読み取り可能な記録媒体に記録して、この記録媒体に記録されたプログラムをコンピュータシステムに読み込ませ、実行することにより上述の電子チラシ配信サーバ１００やユーザ端末装置２００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００６３】
１００  電子チラシ配信サーバ、１０１  通信部、１０２  制御部、１０３  記憶部、１２１  電子チラシ関連情報送信部、１３１  電子チラシデータ記憶部、１３２  利用履歴情報記憶部、２００  ユーザ端末装置、２０１  通信部、２０２  制御部、２０３  記憶部、２０４  表示部、２０５  操作部、２２１  表示制御部、３００  推薦処理サーバ
【図１】
2017068489.tif 000003
【図２】
2017068489.tif 000004
【図３】
2017068489.tif 000005
【図４】
2017068489.tif 000006
【図５】
2017068489.tif 000007
【図６】
2017068489.tif 000008
【図７】
2017068489.tif 000009
【図８】
2017068489.tif 000010
【図９】
2017068489.tif 000011